(57)【要約】【課題】テープ状本体の主面に形成された収納穴に電子部品を収容し、テープ状本体の主面に接着したカバーテープで収納穴の開口部を封止するよう構成した部品収納テープにおいて、コストをかけることなくカバーテープめくり上げに伴うケバや粉塵の発生を効果的に抑制する。【解決手段】テープ状本体１とカバーテープ２とを線状の接着部ｓを介して接着するとともに、この接着部ｓの両側近接位置に沿うスリット７をテープ状本体１に形成してある。【選択図】図１
2005324814.tif 000002
【特許請求の範囲】
【請求項１】
電子部品を収納する収納穴を有するテープ状本体と、上記テープ状本体に接着されて上記収納穴の開口部を封止するカバーテープとを備えた部品収納テープであって、
上記テープ状本体と上記カバーテープとの接着部は、カバーテープの剥離方向と平行な帯状をなし、
上記テープ状本体側の接着部の長手方向両側にスリットが形成されている、ことを特徴する部品収納テープ。
【請求項２】
電子部品を収納する収納穴を有するテープ状本体と、上記テープ状本体に接着されて上記収納穴の開口部を封止するカバーテープとを備えた部品収納テープであって、
上記テープ状本体は、上記収納穴をその長手方向に複数有し、
上記テープ状本体と上記カバーテープとの接着部は、該カバーテープの長手方向と平行な帯状をなし、
上記テープ状本体側の接着部の長手方向両側にスリットが形成されている、ことを特徴する部品収納テープ。
【請求項３】
上記テープ状本体は、紙製である、ことを特徴する請求項１または２に記載の部品収納テープ。
【請求項４】
上記収納穴は、上記テープ状本体の一方主面に開口部を形成するように設けられた有底穴である、ことを特徴する請求項１ないし３のいずれか１項に記載の部品収納テープ。
【請求項５】
上記収納穴は、上記テープ状本体の両主面に開口部を形成するように設けられた貫通穴である、ことを特徴する請求項１ないし３のいずれか１項に記載の部品収納テープ。
【請求項６】
上記スリットは、上記テープ状本体の両主面に設けられている、ことを特徴する請求項５に記載の部品収納テープ。
【請求項７】
テープ状本体に収納穴を該テープ状本体の長手方向に沿って複数形成するステップと、
テープ状本体の長手方向に沿って、テープ状本体上に形成された開口部の両側に、それぞれ、一対のスリットを形成するステップと、
一対のスリットの間にある領域を接着部として、テープ状本体にカバーテープを接着して上記収納穴を封止するステップと、
を含むことを特徴する部品収納テープの製造方法。
【請求項８】
上記請求項１ないし６のいずれか１項に記載の部品収納テープのスリット形成方向と略平行な方向に沿ってカバーテープを剥離するステップと、
上記収納穴内に収納されている電子部品を当該収納穴内から取り出すステップと、
上記電子部品を回路基板上に実装するステップと、
を含むことを特徴する部品収納テープを利用した電子部品の実装方法。
【発明の詳細な説明】
【技術分野】
【０００１】
本発明は、電子部品を収納する収納穴を有するテープ状本体と、上記テープ状本体に接着されて上記収納穴の開口部を封止するカバーテープとを備えた部品収納テープ、部品収納テープの製造方法、および、部品収納テープを利用した電子部品の実装方法に関する。
【背景技術】
【０００２】
アセンブリメーカーにおいて電子部品を電子部品挿入装置や電子部品実装装置に供給する際には、電子部品を一定の方向に揃えて１個ずつ供給する必要がある。このため、電子部品をキャリアテープやカセットケースなどに収納したものを部品メーカーからアセンブリメーカーへ供給する形態が一般的となっている。このうち、キャリアテープを用いたものとしては、テープ状本体の長手方向に多数設けてある部品収納穴にそれぞれ電子部品を収納してから、テープ状本体にカバーテープを熱圧着や接着剤によって接着して電子部品を収納した部品収納穴の開口部を封止した形態としたものがある（特許文献１参照。）。
【０００３】
このような部品収納テープは電子部品実装装置に搬入され、カバーテープをテープ状本体から順次剥離しながら、その剥離で露出した電子部品を吸着ノズル等によって当該部品収納穴から取り出し、その後、回路基板等に実装される。
【０００４】
しかしながら、上記形態の部品収納テープの場合では、カバーテープをテープ状本体から剥離する際に、テープ状本体におけるカバーテープとの接着部の周辺までが剥離されてしまい、テープ状本体表面にケバが発生するとともにテープ状本体の構成繊維が粉塵となって周囲に飛散する。そして、発生した粉塵は吸着ノズルの詰まり発生や部品半田付け不良の発生の一因になることがある。また、このように、テープ状本体にケバが発生した状態となっていると、部品実装時のテープ巻き取りの際、表層のケバがその巻き取りの抵抗として作用することで、巻き取り負荷が大きくなり、このため不安定な巻き取りとなるおそれがあって、部品取出しの安定性も低くなるという問題もあった。
【０００５】
そこで、例えば、テープ状本体の表面に樹脂を含浸させて該テープ状本体の剛性を高めた上でカバーテープを接着して該カバーテープの剥離に際して上記ケバや粉塵の発生を抑制可能とした技術が提案されている（特許文献２参照。）。
【０００６】
しかしながら、このようにテープ状本体の表面に樹脂を含浸させたものであっても、接着部の周辺にケバを全く発生させないものにできるのではなく、接着部周辺で幾分かのケバの発生があるため、確実性高くケバの発生を抑制する点でより一層改善の余地があった。
【０００７】
また、この技術による場合、テープ状本体の表面に樹脂を含浸させるためにコスト高となる上、使用済みテープ状本体の主面に含浸されて残留している多量の樹脂材の焼却処分時に有害ガスが発生したり、あるいは発生高熱によって焼却炉が損傷する、等の不具合がもたらされる可能性があるなどの課題がある。
【特許文献１】特開平０７−１３７７６７号公報
【特許文献２】特開２００３−２２６３９３号公報
【発明の開示】
【発明が解決しようとする課題】
【０００８】
したがって、本発明により解決すべき課題は、低コストにてカバーテープの剥離時のケバや粉塵の発生を抑制するとともに、そのケバ発生をより一層抑制できるようにすることである。
【課題を解決するための手段】
【０００９】
本発明に係る第１の部品収納テープは、電子部品を収納する収納穴を有するテープ状本体と、上記テープ状本体に接着されて上記収納穴の開口部を封止するカバーテープとを備えた部品収納テープであって、上記テープ状本体と上記カバーテープとの接着部は、カバーテープの剥離方向と平行な帯状をなし、上記テープ状本体側の接着部の長手方向両側にスリットが形成されていることを特徴とするものである。
【００１０】
本発明に係る第１の部品収納テープによると、テープ状本体を構成する素材が例えば紙製であれば上記スリット間にある紙繊維とスリット外にある紙繊維とはスリットで切断されてしまっている。したがって、テープ状本体からカバーテープを剥離する際に、テープ状本体側の接着部の幅方向両側のスリットの外側にケバ（毛羽）が進行することはない。これとともに、カバーテープ剥離時のケバ立ちに伴う粉塵の発生も抑制することができる。しかも、テープ状本体にはスリットを形成しておくだけであるから、テープ状本体にその主面の剛性を高めるための樹脂含浸処理等のコストがかかる処理は不要であり、低コストで実施できる。また、このようにケバ立ちが接着部の幅方向で抑制されたものとなっているから、従来のようにケバ立ちが多く生じたテープ状本体を巻き取りする場合のように巻き取りの抵抗となったりすることも抑制されるから、安定性の良い巻き取りが行えることによって、部品取り出しの信頼性が高まるに至った。なお、本発明に係る第１の部品収納テープは、テープ状本体に部品収納穴が少なくとも１つ形成されたものを含むのであって、また、テープの剥離方向と平行な帯状に接着部を設けるものであって、接着部がテープの長手方向と一致しない場合も含む。
【００１１】
本発明に係る第２の部品収納テープは、電子部品を収納する収納穴を有するテープ状本体と、上記テープ状本体に接着されて上記収納穴の開口部を封止するカバーテープとを備えた部品収納テープであって、上記テープ状本体は、上記収納穴をその長手方向に複数有し、上記テープ状本体と上記カバーテープとの接着部は、該カバーテープの長手方向と平行な帯状をなし、上記テープ状本体側の接着部の長手方向両側にスリットが形成されていることを特徴するものである。
【００１２】
本発明に係る第２の部品収納テープによると、テープ状本体を構成する素材が例えば紙製であれば上記スリット間にある紙繊維とスリット外にある紙繊維とはスリットで切断されてしまっている。したがって、テープ状本体からカバーテープを剥離する際に、テープ状本体側の接着部の幅方向両側のスリットの外側にケバ（毛羽）が進行することはない。これとともに、カバーテープ剥離時のケバ立ちに伴う粉塵の発生も抑制することができる。しかも、テープ状本体にはスリットを形成しておくだけであるから、テープ状本体にその主面の剛性を高めるための樹脂含浸処理等のコストがかかる処理は不要であり、低コストで実施できる。また、このようにケバ立ちが接着部の幅方向で抑制されたものとなっているから、従来のようにケバ立ちが多く生じたテープ状本体を巻き取りする場合のように巻き取りの抵抗となったりすることも抑制されるから、安定性の良い巻き取りが行えることによって、部品取り出しの信頼性が高まるに至った。
【００１３】
従来の部品収納テープの場合、図８に示すように、テープ状本体から剥離したカバーテープ２の接着部ｓ２には、テープ状本体から剥がれた紙繊維がケバｋとして付着しているのみならず、テープ状本体の接着部における横脇の周辺領域からも紙繊維を剥離して生じたケバｋが発生することになるのに対して、本発明に係る部品収納テープの場合、図９に示すように、カバーテープ２の接着部ｓ２領域にのみケバが生じるに止まり、不必要にケバ立たせるものではない。したがって、テープ状本体側においても、接着部の横脇部分にケバが生じないものとなり、その分、巻き取り時の抵抗が小さくなるとともに、粉塵発生を抑制できるものとなる。
【００１４】
本発明に係る部品収納テープの製造方法は、テープ状本体に収納穴を該テープ状本体の長手方向に沿って複数形成するステップと、テープ状本体の長手方向に沿って、テープ状本体上に形成された開口部の両側に、それぞれ、一対のスリットを形成するステップと、一対のスリットの間にある領域を接着部として、テープ状本体にカバーテープを接着して上記収納穴を封止するステップと、を含むことを特徴する。
【００１５】
なお、この製造方法において、収納穴をテープ状本体に形成するステップと、スリットを形成するステップとは、どちらが先であっても構わないし、同時に形成しても構わない。また、収納穴に電子部品を収納するステップは、収納穴形成後からカバーテープを接着するまでの間であれば、どの時点で行われても構わない。また、カバーテープの接着は、熱圧着でも接着剤による接着でも構わないが、接着剤による接着の場合でテープ本体側に接着剤を塗布する場合、スリット形成後に接着剤を帯状に塗布しても構わないし、接着剤を帯状に塗布してから、その両側にスリットを形成しても構わない。
【００１６】
本発明に係る部品収納テープを利用した電子部品実装方法は、本発明に係る部品収納テープのスリット形成方向と略平行な方向に沿ってカバーテープを剥離するステップと、上記収納穴内に収納されている電子部品を当該収納穴内から取り出すステップと、上記電子部品を回路基板上に実装するステップと、を含むことを特徴する。
【発明の効果】
【００１７】
本発明によると、低コストにてカバーテープの剥離時のケバや粉塵の発生を抑制できる。
【発明を実施するための最良の形態】
【００１８】
以下、本発明の最良の形態に係る部品収納テープを添付図面を参照して詳細に説明する。図１は、同部品収納テープの一部を示す斜視図、図２は、図１の縦断正面図である。これらの図において、Ａは部品収納テープを示す。部品収納テープＡは、数十ないし数百の電子部品を収納できる長さを有する帯状の紙製テープ状本体１と、このテープ状本体１の主面に接着される帯状の樹脂製カバーテープ２とで構成されている。
【００１９】
図２を参照して、テープ状本体１の主面は、その幅方向中央より一方端縁寄りに所定幅で収納穴形成領域Ｌ１が設定され、この収納穴形成領域Ｌ１から一方端縁側には、マージン領域Ｌ２、スリット形成領域Ｌ３、接着部形成領域Ｌ４、スリット形成領域Ｌ５、マージン領域Ｌ６が設定され、収納穴形成領域Ｌ１より他方端縁側には、マージン領域Ｌ７、スリット形成領域Ｌ８、接着部形成領域Ｌ９、スリット形成領域Ｌ１０、マージン領域Ｌ１１、送り穴形成領域Ｌ１２、マージン領域Ｌ１３が設定されている。
【００２０】
収納穴形成領域にはその長手方向等間隔で収容対象のチップ型の電子部品３より若干大きく、かつ、電子部品厚さより若干深い有底の収納穴４が多数形成されている。収納穴形成領域の幅方向両側に設定された接着部形成領域には、テープ状本体１の長手方向に接着部ｓが連続形成されている。各接着部形成領域の幅両側に設定された各スリット形成領域にはその長手方向に断面Ｖ溝形状のスリットが連続的に形成されている。送り穴形成領域にはその長手方向に収納穴４の配置ピッチと同ピッチで電子部品実装装置などにおいて部品収納テープＡをピッチ送りするための送り孔５が貫通形成されている。
【００２１】
例えばポリスチレン、ポリエチレンなどの樹脂材料からなるカバーテープ２は、幅方向一端側をテープ状本体１の一方側端縁に位置合わせされた状態にしてからテープ状本体１に接着されるもので、テープ状本体１の幅方向両側のスリット形成領域までの範囲を少なくともカバーできるテープ幅を有する。カバーテープ２の主面には、該カバーテープ２の幅方向一端側をテープ状本体１の幅方向一端側に位置合わせした状態で、テープ状本体１の収納穴形成領域の幅方向両側にある各接着部形成領域それぞれと対応する位置に該接着部形成領域（テープ状本体側接着部形成領域）の幅と対応した幅を有する接着部形成領域（カバーテープ側接着部形成領域）が長手方向に連続して設けられている。このカバーテープ側接着部形成領域には、接着部ｓ２が形成されている。
【００２２】
テープ状本体１の接着部ｓとカバーテープ２の接着部ｓ２は、互いに接着され、この接着により、テープ状本体１の収納穴４の開口部は封止される。
【００２３】
図３および図４を参照して、テープ状本体１に対するカバーテープ２の接着を説明する。カバーテープ２は、ヒートシール装置６を用いてテープ状本体１の主面に押圧接着される。ヒートシール装置６には、内装したヒータで加熱される一対の押圧ヘッド６ａが収納穴４を跨ぐ間隔をもって備えられており、両押圧ヘッド６ａでカバーテープ２をテープ状本体１の主面に押圧することで、カバーテープ２が収納穴４群の両側において所定の幅をもって直線状に加熱圧着される。そして、テープ状本体１の主面には、各接着部ｓの両側に近接してスリット７，７が予めカッターなどにより切り込み形成されている。
【００２４】
本発明の部品収納テープＡは以上のように構成されており、多数の電子部品３を収納封入した部品収納テープＡは実装装置などに搬入され、送り孔５を介してピッチ送りされながらカバーテープ２が一端からめくり上げられ、開放された収納穴４から吸着ノズルなどのピックアップ手段を用いて電子部品３が順次取り出され、基板の所定位置に供給されてハンダ付け処理される。
【００２５】
ここで、カバーテープ２がめくり上げられる際、テープ状本体１の主面の接着部ｓでは、紙繊維の一部がカバーテープ２にくっついて剥がされようとするが、接着部ｓの両側近接位置にはスリット７，７が予め形成されているので、両スリット７，７の間においてのみ紙繊維が剥がされるだけで、スリット７の外側にまで紙繊維の剥離が進行することはなく、ケバや紙繊維の粉塵がほとんど発生することなくカバーテープ２がめくり上げられる。
【００２６】
因みに、前記接着部ｓの幅、つまり、押圧ヘッド６ａの幅Ｗ0を0.2〜1.0ｍｍ、各スリット７の開口幅Ｌを20〜50μｍ、一対のスリット７内間隔Ｗ1をＷ0+0.1ｍｍ、スリット７の深さＤを20〜50μｍ、テープ状本体１の厚さＴを0.2〜1.0ｍｍとした場合、ケバや紙繊維の粉塵がほとんど発生することなくカバーテープ２を良好にめくり上げることができた。
【００２７】
（他の形態）
本発明は、以下のような形態で実施することもできる。
【００２８】
（１）図５に示すように、テープ状本体１に形成する収納穴４を貫通孔とし、テープ状本体１の両主面にそれぞれ接着したカバーテープ２で収納穴４の両開口部を封止する形態で実施することもできる。
【００２９】
（２）図６に示すように、テープ状本体１に形成する収納穴４を貫通孔とし、テープ状本体１の両主面にそれぞれ接着したカバーテープ２で収納穴４の両開口部を封止するとともに、テープ状本体１の両主面に各接着部ｓに沿ったスリット７をそれぞれ形成し、いずれのカバーテープ２をめくり上げても部品取出しを行える形態で実施することもできる。
【００３０】
（３）図７に示すように、収納穴４、送り孔５、および、スリット７を形成する形状に切り抜かれた薄い複数枚のシート素材を貼り合せてテープ状本体１を構成することもできる。図７の（ａ）は、シート素材を積層するように貼り合わせる様子を示す断面図であり、図７の（ｂ）は、シート素材を積層させて形成したテープ状本体１を示す断面図である。
【００３１】
（４）上記実施形態では、複数の電子部品を１列に収納するテープ状の部品収納テープを構成する場合を例示したが、テープ状本体１に収納穴４を縦横に整列形成するとともに、各収納穴４の間を縦横に走る線状の接着部ｓをもってカバーテープ２をテープ状本体１に接着して各収納穴４の開口部を封止する形態のものに適用することも可能である。
【００３２】
（５）上記実施形態では、熱圧着によりカバーテープをテープ状本体に接着するものを示したが、本発明は、テープ状本体またはカバーテープの接着部領域に予め接着剤を塗布し、次いでカバーテープをテープ状本体に圧着することによって接着するものでもよい。
【図面の簡単な説明】
【００３３】
【図１】本発明に係る部品収納テープの一部を示す斜視図である。
【図２】部品収納テープの縦断正面図である。
【図３】カバーテープ接着手段の斜視図である。
【図４】カバーテープ接着手段の縦断正面図である。
【図５】他の実施形態の縦断正面図である。
【図６】他の実施形態の縦断正面図である。
【図７】他の実施形態の縦断正面図である。
【図８】従来におけるテープ状本体からカバーテープを剥離した状態を示す平面図である。
【図９】本発明におけるテープ状本体からカバーテープを剥離した状態を示す平面図である。
【符号の説明】
【００３４】
１              テープ状本体
２              カバーテープ
３              電子部品
４              収納穴
７              スリット
ｓ              接着部
【図１】
2005324814.tif 000003
【図２】
2005324814.tif 000004
【図３】
2005324814.tif 000005
【図４】
2005324814.tif 000006
【図５】
2005324814.tif 000007
【図６】
2005324814.tif 000008
【図７】
2005324814.tif 000009
【図８】
2005324814.tif 000010
【図９】
2005324814.tif 000011